(57)【特許請求の範囲】
【請求項１】
シアニン化合物に由来するカチオン（Ａ）と、フタロシアニン化合物に由来するアニオン（Ｂ）とを含む塩であって、
（Ａ）が、式（１）又は式（２）で表されるカチオンである塩。
0005948858.tif 000064
（式（１）中、環Ｚ１及び環Ｚ２は、互いに独立に、置換基を有していてもよい芳香環を表す。Ｒ１及びＲ２は、互いに独立に、置換基を有してもよい炭素数１〜１２の脂肪族炭化水素基又は水素原子を表す。Ｒ３及びＲ４は、互いに独立に、置換基を有してもよい炭素数１〜１２の脂肪族炭化水素基又は水素原子を表すか、Ｒ３とＲ４とが一緒になってアルカンジイル基を形成する。Ｒ５及びＲ６は、互いに独立に、置換基を有してもよい炭素数１〜１２の脂肪族炭化水素基又は水素原子を表すか、Ｒ５とＲ６とが一緒になってアルカンジイル基を形成する。Ｒ７及びＲ８は、互いに独立に、置換基を有してもよい炭素数１〜１２の脂肪族炭化水素基又は水素原子を表すか、Ｒ７とＲ８とが一緒になってアルカンジイル基を形成する。Ｘ１及びＸ２は、互いに独立に、水素原子又はハロゲン原子を表す。ｎ１は、０又は１を表す。）
0005948858.tif 000065
（式（２）中、環Ｚ３、環Ｚ４、環Ｚ５及び環Ｚ６は、互いに独立に、置換基を有していてもよい芳香環を表す。Ｒ９及びＲ１６は、置換基を有してもよい炭素数１〜１２の脂肪族炭化水素基又は水素原子を表す。Ｒ１０及びＲ１１は、互いに独立に、置換基を有してもよい炭素数１〜１２の脂肪族炭化水素基又は水素原子を表すか、Ｒ１０とＲ１１とが一緒になってアルカンジイル基を形成する。Ｒ１２及びＲ１３は、互いに独立に、置換基を有してもよい炭素数１〜１２の脂肪族炭化水素基又は水素原子を表すか、Ｒ１２とＲ１３とが一緒になってアルカンジイル基を形成する。Ｒ１４及びＲ１５は、互いに独立に、置換基を有してもよい炭素数１〜１２の脂肪族炭化水素基又は水素原子を表すか、Ｒ１４とＲ１５とが一緒になってアルカンジイル基を形成する。Ｒ１７及びＲ１８は、互いに独立に、置換基を有してもよい炭素数１〜１２の脂肪族炭化水素基又は水素原子を表すか、Ｒ１７とＲ１８とが一緒になってアルカンジイル基を形成する。Ｒ１９及びＲ２０は、互いに独立に、置換基を有してもよい炭素数１〜１２の脂肪族炭化水素基又は水素原子を表すか、Ｒ１９とＲ２０とが一緒になってアルカンジイル基を形成する。Ｒ２１及びＲ２２は、互いに独立に、置換基を有してもよい炭素数１〜１２の脂肪族炭化水素基又は水素原子を表すか、Ｒ２１とＲ２２とが一緒になってアルカンジイル基を形成する。Ｌ１は、置換基を有してもよい炭素数１〜１２のアルカンジイル基を表す。Ｘ３、Ｘ４、Ｘ５及びＸ６は、互いに独立に、水素原子又はハロゲン原子を表す。ｎ２及びｎ３は、互いに独立に、０又は１を表す。）
【請求項２】
（Ａ）が、式（１）で表されるカチオンである請求項１記載の塩。
【請求項３】
環Ｚ１及び環Ｚ２が、互いに独立に、置換基を有してもよいナフタレン環である請求項１又は２記載の塩。
【請求項４】
Ｒ１及びＲ２が、ともにｎ−ブチル基である請求項１〜３のいずれか記載の塩。
【請求項５】
Ｒ３〜Ｒ６が、いずれもメチル基である請求項１〜４のいずれか記載の塩。
【請求項６】
フタロシアニン化合物に由来するアニオン（Ｂ）が、Ｃ．Ｉ．ダイレクトブルー８６、Ｃ．Ｉ．ダイレクトブルー８７又はＣ．Ｉ．アシッドブルー２４９に由来するアニオンである請求項１〜５のいずれか記載の塩。
【請求項７】
請求項１〜６のいずれか記載の塩を有効成分とする染料。
【請求項８】
請求項７記載の染料を含む着色組成物。
【発明の詳細な説明】
【技術分野】
【０００１】
本発明は、シアニン化合物に由来するカチオンとフタロシアニン化合物に由来するアニオンとを含む塩、前記塩を有効成分とする染料および前記染料を含む着色組成物に関する。
【背景技術】
【０００２】
液晶パネル、エレクトロルミネッセンスパネル、プラズマディスプレイパネルなどのディスプレイ装置には、カラーフィルタが用いられている。そして、カラーフィルタに用いられるフタロシアニン染料として、特許文献１に記載されるような、Ｃ．Ｉ．ダイレクトブルー８６が知られている。
【先行技術文献】
【非特許文献】
【０００３】
【特許文献１】特開平８−１４６２１５号公報
【発明の概要】
【発明が解決しようとする課題】
【０００４】
特許文献１に記載されているＣ．Ｉ．ダイレクトブルー８６は、そのモル吸光係数が、必ずしも十分満足できるものではなかった。
【課題を解決するための手段】
【０００５】
本発明は、以下の［１］〜［９］を提供するものである。
［１］  シアニン化合物に由来するカチオン（Ａ）と、フタロシアニン化合物に由来するアニオン（Ｂ）とを含む塩
［２］  （Ａ）が、式（１）又は式（２）で表されるカチオンである［１］記載の塩。
0005948858.tif 000002
（式（１）中、環Ｚ１及び環Ｚ２は、互いに独立に、置換基を有していてもよい芳香環を表す。Ｒ１及びＲ２は、互いに独立に、置換基を有してもよい炭素数１〜１２の脂肪族炭化水素基又は水素原子を表す。Ｒ３及びＲ４は、互いに独立に、置換基を有してもよい炭素数１〜１２の脂肪族炭化水素基又は水素原子を表すか、Ｒ３とＲ４とが一緒になってアルカンジイル基を形成する。Ｒ５及びＲ６は、互いに独立に、置換基を有してもよい炭素数１〜１２の脂肪族炭化水素基又は水素原子を表すか、Ｒ５とＲ６とが一緒になってアルカンジイル基を形成する。Ｒ７及びＲ８は、互いに独立に、置換基を有してもよい炭素数１〜１２の脂肪族炭化水素基又は水素原子を表すか、Ｒ７とＲ８とが一緒になってアルカンジイル基を形成する。Ｘ１及びＸ２は、互いに独立に、水素原子又はハロゲン原子を表す。ｎ１は、０又は１を表す。）
0005948858.tif 000003
（式（２）中、環Ｚ３、環Ｚ４、環Ｚ５及び環Ｚ６は、互いに独立に、置換基を有していてもよい芳香環を表す。Ｒ９及びＲ１６は、置換基を有してもよい炭素数１〜１２の脂肪族炭化水素基又は水素原子を表す。Ｒ１０及びＲ１１は、互いに独立に、置換基を有してもよい炭素数１〜１２の脂肪族炭化水素基又は水素原子を表すか、Ｒ１０とＲ１１とが一緒になってアルカンジイル基を形成する。Ｒ１２及びＲ１３は、互いに独立に、置換基を有してもよい炭素数１〜１２の脂肪族炭化水素基又は水素原子を表すか、Ｒ１２とＲ１３とが一緒になってアルカンジイル基を形成する。Ｒ１４及びＲ１５は、互いに独立に、置換基を有してもよい炭素数１〜１２の脂肪族炭化水素基又は水素原子を表すか、Ｒ１４とＲ１５とが一緒になってアルカンジイル基を形成する。Ｒ１７及びＲ１８は、互いに独立に、置換基を有してもよい炭素数１〜１２の脂肪族炭化水素基又は水素原子を表すか、Ｒ１７とＲ１８とが一緒になってアルカンジイル基を形成する。Ｒ１９及びＲ２０は、互いに独立に、置換基を有してもよい炭素数１〜１２の脂肪族炭化水素基又は水素原子を表すか、Ｒ１９とＲ２０とが一緒になってアルカンジイル基を形成する。Ｒ２１及びＲ２２は、互いに独立に、置換基を有してもよい炭素数１〜１２の脂肪族炭化水素基又は水素原子を表すか、Ｒ２１とＲ２２とが一緒になってアルカンジイル基を形成する。Ｌ１は、置換基を有してもよい炭素数１〜１２のアルカンジイル基を表す。Ｘ３、Ｘ４、Ｘ５及びＸ６は、互いに独立に、水素原子又はハロゲン原子を表す。ｎ２及びｎ３は、互いに独立に、０又は１を表す。）
［３］  （Ａ）が、式（１）で表されるカチオンである［１］記載の塩。
［４］  環Ｚ１及び環Ｚ２が、互いに独立に、置換基を有してもよいナフタレン環である［３］記載の塩。
［５］  Ｒ１及びＲ２が、ともにｎ−ブチル基である［３］又は［４］記載の塩。
［６］  Ｒ３〜Ｒ６が、いずれもメチル基である［３］〜［５］のいずれか記載の塩。
［７］  フタロシアニン化合物に由来するアニオン（Ｂ）が、Ｃ．Ｉ．ダイレクトブルー８６、Ｃ．Ｉ．ダイレクトブルー８７又はＣ．Ｉ．アシッドブルー２４９に由来するアニオンである［１］〜［６］のいずれか記載の塩。
［８］  ［１］〜［７］のいずれか記載の塩を有効成分とする染料。
［９］  ［８］記載の染料を含む着色組成物。
【発明の効果】
【０００６】
本発明に係るフタロシアニン化合物に由来するアニオンと、シアニン化合物に由来するカチオンとの塩は、良好なモル吸光係数を有する。
【発明を実施するための形態】
【０００７】
本発明の塩は、シアニン化合物に由来するカチオン（Ａ）（以下「カチオン（Ａ）」という場合がある）とフタロシアニン化合物に由来するアニオン（Ｂ）（以下「アニオン（Ｂ）」という場合がある）とを含む塩である。
【０００８】
カチオン（Ａ）は、目的とするカラーフィルタの色に合わせて選択することができる。
カチオン（Ａ）は、溶剤に充分に溶解することが好ましい。更に、カチオン（Ａ）は、パターン形成に使用する現像液に、パターン形成ができる程度に溶解することが好ましい。カチオン（Ａ）は、式（１）で表されるカチオン（以下「カチオン（１）」という場合がある）又は式（２）で表されるカチオン（以下「カチオン（２）」という場合がある）が好ましい。
0005948858.tif 000004
（式（１）中、環Ｚ１及び環Ｚ２は、互いに独立に、置換基を有していてもよい芳香環を表す。Ｒ１及びＲ２は、互いに独立に、置換基を有してもよい炭素数１〜１２の脂肪族炭化水素基又は水素原子を表す。Ｒ３及びＲ４は、互いに独立に、置換基を有してもよい炭素数１〜１２の脂肪族炭化水素基又は水素原子を表すか、Ｒ３とＲ４とが一緒になってアルカンジイル基を形成する。Ｒ５及びＲ６は、互いに独立に、置換基を有してもよい炭素数１〜１２の脂肪族炭化水素基又は水素原子を表すか、Ｒ５とＲ６とが一緒になってアルカンジイル基を形成する。Ｒ７及びＲ８は、互いに独立に、置換基を有してもよい炭素数１〜１２の脂肪族炭化水素基又は水素原子を表すか、Ｒ７とＲ８とが一緒になってアルカンジイル基を形成する。Ｘ１及びＸ２は、互いに独立に、水素原子又はハロゲン原子を表す。ｎ１は、０又は１を表す。）
0005948858.tif 000005
（式（２）中、環Ｚ３、環Ｚ４、環Ｚ５及び環Ｚ６は、互いに独立に、置換基を有していてもよい芳香環を表す。Ｒ９及びＲ１６は、置換基を有してもよい炭素数１〜１２の脂肪族炭化水素基又は水素原子を表す。Ｒ１０及びＲ１１は、互いに独立に、置換基を有してもよい炭素数１〜１２の脂肪族炭化水素基又は水素原子を表すか、Ｒ１０とＲ１１とが一緒になってアルカンジイル基を形成する。Ｒ１２及びＲ１３は、互いに独立に、置換基を有してもよい炭素数１〜１２の脂肪族炭化水素基又は水素原子を表すか、Ｒ１２とＲ１３とが一緒になってアルカンジイル基を形成する。Ｒ１４及びＲ１５は、互いに独立に、置換基を有してもよい炭素数１〜１２の脂肪族炭化水素基又は水素原子を表すか、Ｒ１４とＲ１５とが一緒になってアルカンジイル基を形成する。Ｒ１７及びＲ１８は、互いに独立に、置換基を有してもよい炭素数１〜１２の脂肪族炭化水素基又は水素原子を表すか、Ｒ１７とＲ１８とが一緒になってアルカンジイル基を形成する。Ｒ１９及びＲ２０は、互いに独立に、置換基を有してもよい炭素数１〜１２の脂肪族炭化水素基又は水素原子を表すか、Ｒ１９とＲ２０とが一緒になってアルカンジイル基を形成する。Ｒ２１及びＲ２２は、互いに独立に、置換基を有してもよい炭素数１〜１２の脂肪族炭化水素基又は水素原子を表すか、Ｒ２１とＲ２２とが一緒になってアルカンジイル基を形成する。Ｌ１は、置換基を有してもよい炭素数１〜１２のアルカンジイル基を表す。Ｘ３、Ｘ４、Ｘ５及びＸ６は、互いに独立に、水素原子又はハロゲン原子を表す。ｎ２及びｎ３は、互いに独立に、０又は１を表す。）
【０００９】
なお、カチオン（１）及びカチオン（２）は、いずれも共鳴構造をとるため、それぞれ式（１）及び式（２）における電荷が移動したカチオンも、本発明の塩を構成するものとする。
【００１０】
カチオン（１）は、環Ｚ１及び環Ｚ２を有する。
【００１１】
式（１）において、環Ｚ１及び環Ｚ２は、互いに独立に、置換基を有していてもよい芳香環を表す。前記芳香環としては、ベンゼン環又はナフタレン環が好ましい。
【００１２】
前記ベンゼン環および前記ナフタレン環の置換基としては、例えば、
メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基などの脂肪族炭化水素基；
フェニル基、ｏ−トリル基、ｍ−トリル基、ｐ−トリル基、キシリル基、メシチル基、ｏ−クメニル基、ｍ−クメニル基、ｐ−クメニル基などの芳香族炭化水素基；
メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基などのアルコキシ基；
フェノキシ基などのアリールオキシ基；
ベンジルオキシ基などのアラルキルオキシ基；
メトキシカルボニル基、エトキシカルボニル基、プロポキシカルボニル基、アセトキシ基、ベンゾイルオキシ基などのアシルオキシ基；
メチルスルファモイル基、ジメチルスルファモイル基、エチルスルファモイル基、ジエチルスルファモイル基、ｎ−プロピルスルファモイル基、ジ−ｎ−プロピルスルファモイル基、イソプロピルスルファモイル基、ジイソプロピルスルファモイル基、ｎ−ブチルスルファモイル基、ジ−ｎ−ブチルスルファモイル基などのアルキルスルファモイル基；
メチルスルホニル基、エチルスルホニル基、プロピルスルホニル基、イソプロピルスルホニル基、ｎ−ブチルスルホニル基、イソブチルスルホニル基、ｓｅｃ−ブチルスルホニル基、ｔｅｒｔ−ブチルスルホニル基などのアルキルスルホニル基；
フッ素原子、塩素原子、臭素原子、ヨウ素原子などのハロゲン原子；
ニトロ基、シアノ基が挙げられる。
なお、かかる置換基が水素原子を有する場合、該水素原子は、例えば、フッ素原子、塩素原子、臭素原子、ヨウ素原子などのハロゲン原子；メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基などのアルコキシ基；フェノキシ基、ベンジルオキシ基などのアリールオキシ基；フェニル基、ｏ−トリル基、ｍ−トリル基、ｐ−トリル基、キシリル基、メシチル基、ｏ−クメニル基、ｍ−クメニル基、ｐ−クメニル基などの芳香族炭化水素基；カルボキシ基；シアノ基；ニトロ基；などによって置換されていてもよい。
【００１３】
溶解性の観点から、環Ｚ１及び環Ｚ２は、それぞれ置換基を有してもよいナフタレン環であることが好ましく、置換基を有さないナフタレン環であることがより好ましい。
【００１４】
式（１）において、Ｘ１及びＸ２は、互いに独立に、水素原子又はハロゲン原子を表す。ハロゲン原子としては、フッ素原子、塩素原子、臭素原子、ヨウ素原子が挙げられる。
【００１５】
Ｒ１及びＲ２は、互いに独立に、置換基を有してもよい炭素数１〜１２の脂肪族炭化水素基又は水素原子を表す。
【００１６】
前記脂肪族炭化水素基としては、例えば、メチル基、エチル基、ビニル基、エチニル基、プロピル基、イソプロピル基、イソプロペニル基、１−プロペニル基、２−プロペニル基、２−プロピニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、１−メチルペンチル基、２−メチルペンチル基、２−ペンテン−４−イニル基、ヘキシル基、イソヘキシル基、５−メチルヘキシル基、ヘプチル基、オクチル基が挙げられる。
該脂肪族炭化水素基における置換基としては、例えば、
フェニル基、ｏ−トリル基、ｍ−トリル基、ｐ−トリル基、キシリル基、メシチル基、ｏ−クメニル基、ｍ−クメニル基、ｐ−クメニル基などの芳香族炭化水素基；
メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、フェノキシ基、ベンジルオキシ基などのアルコキシ基が挙げられる。
フルオロ基、クロロ基、ブロモ基、ヨード基などのハロゲン基；
さらには、カルボキシ基、ニトロ基、シアノ基が挙げられる。
【００１７】
Ｒ１及びＲ２は、好ましくは、置換基を有さない炭素数１〜８の脂肪族炭化水素基であり、より好ましくは、置換基を有さない炭素数１〜４のアルキル基であり、さらに好ましくは、ｎ−ブチル基である。Ｒ１及びＲ２は、同じ基であることが好ましい。Ｒ１及びＲ２が同じ基である場合、モル吸光係数が、より良好になる傾向がある。
【００１８】
Ｒ３及びＲ４は、互いに独立に、置換基を有してもよい炭素数１〜１２の脂肪族炭化水素基又は水素原子を表すか、Ｒ３とＲ４とが一緒になってアルカンジイル基を形成する。Ｒ５及びＲ６は、互いに独立に、置換基を有してもよい炭素数１〜１２の脂肪族炭化水素基又は水素原子を表すか、Ｒ５とＲ６とが一緒になってアルカンジイル基を形成する。Ｒ７及びＲ８は、互いに独立に、置換基を有してもよい炭素数１〜１２の脂肪族炭化水素基又は水素原子を表すか、Ｒ７とＲ８とが一緒になってアルカンジイル基を形成する。
【００１９】
前記脂肪族炭化水素基としては、例えば、メチル基、エチル基、ビニル基、エチニル基、プロピル基、イソプロピル基、イソプロペニル基、１−プロペニル基、２−プロペニル基、２−プロピニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、１−メチルペンチル基、２−メチルペンチル基、２−ペンテン−４−イニル基、ヘキシル基、イソヘキシル基、５−メチルヘキシル基、ヘプチル基、オクチル基が挙げられる。
該脂肪族炭化水素基における置換基としては、例えば、
メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、フェノキシ基、ベンジルオキシ基などのアルコキシ基が挙げられる。
フルオロ基、クロロ基、ブロモ基、ヨード基などのハロゲン基；
さらには、カルボキシ基、ニトロ基、シアノ基が挙げられる。
該アルカンジイル基としては、例えばメチレン基、エチレン基、プロパン−１，２−ジイル基、プロパン−１，３−ジイル基、ブタン−１，４−ジイル基、ペンタン−１，５−ジイル基、ヘキサン−１，６−ジイル基が挙げられる。
【００２０】
Ｒ３〜Ｒ８が、互いに独立に、置換基を有してもよい炭素数１〜１２の脂肪族炭化水素基又は水素原子を表す場合、それぞれ、好ましくは、置換基を有してもよい炭素数１〜３のアルキル基であり、より好ましくは、置換基を有してもよいメチル基であり、さらに好ましくは、置換基を有さないメチル基である。Ｒ３とＲ４、Ｒ５とＲ６、Ｒ７とＲ８は、それぞれ互いに同じ基であることが好ましい。
【００２１】
Ｒ３とＲ４とが一緒になって炭素数１〜１２のアルカンジイル基を形成する場合、前記アルカンジイル基としては、好ましくは、炭素数４〜７のアルカンジイル基であり、より好ましくは、ペンタン−１，５−ジイル基である。
【００２２】
Ｒ５とＲ６とが一緒になって炭素数１〜１２のアルカンジイル基を形成する場合、前記アルカンジイル基としては、好ましくは、炭素数４〜７のアルカンジイル基であり、より好ましくは、ペンタン−１，５−ジイル基である。
【００２３】
上記アルカンジイル基を含む炭化水素環として、シクロブタン環、シクロペンタン環、シクロヘキサン環、シクロヘプタン環等を挙げることができる。また、前記炭化水素環は置換基を有していてもよく、置換基の具体例としては、メチル基、エチル基、ｎ−プロピル基、イソプロピル基等の炭素数３個以下のアルキル基を挙げることができる。
【００２４】
Ｒ７とＲ８とが一緒になって炭素数１〜１２のアルカンジイル基を形成する場合、前記アルカンジイル基としては、好ましくは、炭素数３〜５のアルカンジイル基であり、より好ましくは、プロパン−１，５−ジイル基である。
【００２５】
上記アルカンジイル基を含む炭化水素環として、シクロブテン環、シクロペンテン環、シクロヘキセン環、シクロヘプテン環等を挙げることができる。また、前記炭化水素環は置換基を有していてもよく、置換基の具体例としては、メチル基、エチル基、ｎ−プロピル基、イソプロピル基等の炭素数３個以下のアルキル基を挙げることができる。
【００２６】
ｎ１は０又は１であり、０であることが好ましい。
【００２７】
カチオン（２）は、環Ｚ３、環Ｚ４、環Ｚ５及び環Ｚ６を有する。
【００２８】
式（２）において、環Ｚ３、環Ｚ４、環Ｚ５及び環Ｚ６は、互いに独立に、置換基を有していてもよい芳香環を表す。前記芳香環としては、ベンゼン環又はナフタレン環が好ましい。
【００２９】
前記ベンゼン環及び前記ナフタレン環の置換基としては、例えば、
メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基などの脂肪族炭化水素基；
フェニル基、ｏ−トリル基、ｍ−トリル基、ｐ−トリル基、キシリル基、メシチル基、ｏ−クメニル基、ｍ−クメニル基、ｐ−クメニル基などの芳香族炭化水素基；
メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基などのアルコキシ基；
フェノキシ基などのアリールオキシ基；
ベンジルオキシ基などのアラルキルオキシ基；
メトキシカルボニル基、エトキシカルボニル基、プロポキシカルボニル基、アセトキシ基、ベンゾイルオキシ基などのアシルオキシ基；
メチルスルファモイル基、ジメチルスルファモイル基、エチルスルファモイル基、ジエチルスルファモイル基、ｎ−プロピルスルファモイル基、ジ−ｎ−プロピルスルファモイル基、イソプロピルスルファモイル基、ジイソプロピルスルファモイル基、ｎ−ブチルスルファモイル基、ジ−ｎ−ブチルスルファモイル基などのアルキルスルファモイル基；
メチルスルホニル基、エチルスルホニル基、プロピルスルホニル基、イソプロピルスルホニル基、ｎ−ブチルスルホニル基、イソブチルスルホニル基、ｓｅｃ−ブチルスルホニル基、ｔｅｒｔ−ブチルスルホニル基などのアルキルスルホニル基；
フッ素原子、塩素原子、臭素原子、ヨウ素原子などのハロゲン原子；
ニトロ基、シアノ基が挙げられる。
なお、かかる置換基が水素原子を有する場合、該水素原子は、例えば、フッ素原子、塩素原子、臭素原子、ヨウ素原子などのハロゲン原子；メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基などのアルコキシ基；フェノキシ基、ベンジルオキシ基などのアリールオキシ基；フェニル基、ｏ−トリル基、ｍ−トリル基、ｐ−トリル基、キシリル基、メシチル基、ｏ−クメニル基、ｍ−クメニル基、ｐ−クメニル基などの芳香族炭化水素基；カルボキシ基；シアノ基；ニトロ基；などによって置換されていてもよい。
【００３０】
溶解性の観点から、環Ｚ３、環Ｚ４、環Ｚ５及び環Ｚ６は、それぞれ置換基を有してもよいナフタレン環であることが好ましく、置換基を有さないナフタレン環であることがより好ましい。
【００３１】
式（２）において、Ｘ３、Ｘ４、Ｘ５及びＸ６は、互いに独立に、水素原子又はハロゲン原子を表す。ハロゲン原子としては、フッ素原子、塩素原子、臭素原子、ヨウ素原子が挙げられる。
【００３２】
Ｒ９及びＲ１６は、互いに独立に、置換基を有してもよい炭素数１〜１２の脂肪族炭化水素基又は水素原子を表す。
【００３３】
前記脂肪族炭化水素基としては、例えば、メチル基、エチル基、ビニル基、エチニル基、プロピル基、イソプロピル基、イソプロペニル基、１−プロペニル基、２−プロペニル基、２−プロピニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、１−メチルペンチル基、２−メチルペンチル基、２−ペンテン−４−イニル基、ヘキシル基、イソヘキシル基、５−メチルヘキシル基、ヘプチル基、オクチル基が挙げられる。
該脂肪族炭化水素基における置換基としては、例えば、
フェニル基、ｏ−トリル基、ｍ−トリル基、ｐ−トリル基、キシリル基、メシチル基、ｏ−クメニル基、ｍ−クメニル基、ｐ−クメニル基などの芳香族炭化水素基；
メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、フェノキシ基、ベンジルオキシ基などのアルコキシ基が挙げられる。
フルオロ基、クロロ基、ブロモ基、ヨード基などのハロゲン基；
さらには、カルボキシ基、ニトロ基、シアノ基が挙げられる。
【００３４】
Ｒ９及びＲ１６は、好ましくは、置換基を有さない炭素数１〜８の脂肪族炭化水素基であり、より好ましくは、置換基を有さない炭素数１〜４のアルキル基であり、さらに好ましくは、ｎ−ブチル基である。Ｒ９及びＲ１６は、同じ基であることが好ましい。Ｒ９及びＲ１６が同じ基である場合、モル吸光係数が、より良好になる傾向がある。
【００３５】
Ｒ１０及びＲ１１は、互いに独立に、置換基を有してもよい炭素数１〜１２の脂肪族炭化水素基又は水素原子を表すか、Ｒ１０とＲ１１とが一緒になってアルカンジイル基を形成する。Ｒ１２及びＲ１３は、互いに独立に、置換基を有してもよい炭素数１〜１２の脂肪族炭化水素基又は水素原子を表すか、Ｒ１２とＲ１３とが一緒になってアルカンジイル基を形成する。Ｒ１４及びＲ１５は、互いに独立に、置換基を有してもよい炭素数１〜１２の脂肪族炭化水素基又は水素原子を表すか、Ｒ１４とＲ１５とが一緒になってアルカンジイル基を形成する。Ｒ１７及びＲ１８は、互いに独立に、置換基を有してもよい炭素数１〜１２の脂肪族炭化水素基又は水素原子を表すか、Ｒ１７とＲ１８とが一緒になってアルカンジイル基を形成する。Ｒ１９とＲ２０は、互いに独立に、置換基を有してもよい炭素数１〜１２の脂肪族炭化水素基又は水素原子を表すか、Ｒ１９とＲ２０とが一緒になってアルカンジイル基を形成する。Ｒ２１及びＲ２２は、互いに独立に、置換基を有してもよい炭素数１〜１２の脂肪族炭化水素基又は水素原子を表すか、Ｒ２１とＲ２２が一緒になってアルカンジイル基を形成する。
【００３６】
前記脂肪族炭化水素基としては、例えば、メチル基、エチル基、ビニル基、エチニル基、プロピル基、イソプロピル基、イソプロペニル基、１−プロペニル基、２−プロペニル基、２−プロピニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、１−メチルペンチル基、２−メチルペンチル基、２−ペンテン−４−イニル基、ヘキシル基、イソヘキシル基、５−メチルヘキシル基、ヘプチル基、オクチル基が挙げられる。
該脂肪族炭化水素基における置換基としては、例えば、
メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、フェノキシ基、ベンジルオキシ基などのアルコキシ基が挙げられる。
フルオロ基、クロロ基、ブロモ基、ヨード基などのハロゲン基；
さらには、カルボキシ基、ニトロ基、シアノ基が挙げられる。
該アルカンジイル基としては、例えばメチレン基、エチレン基、プロパン−１，２−ジイル基、プロパン−１，３−ジイル基、ブタン−１，４−ジイル基、ペンタン−１，５−ジイル基、ヘキサン−１，６−ジイル基が挙げられる。
【００３７】
Ｒ１０〜Ｒ１５及びＲ１７〜Ｒ２２が、互いに独立に、置換基を有してもよい炭素数１〜１２の脂肪族炭化水素基又は水素原子を表す場合、好ましくは、置換基を有してもよい炭素数１〜３のアルキル基であり、より好ましくは、置換基を有してもよいメチル基であり、さらに好ましくは、置換基を有さないメチル基である。Ｒ１０とＲ１１、Ｒ１２とＲ１３、Ｒ１４とＲ１５、Ｒ１７とＲ１８、Ｒ１９とＲ２０及びＲ２１とＲ２２は、それぞれ互いに同じ基であることが好ましい。
【００３８】
Ｒ１０とＲ１１とが一緒になって炭素数１〜１２のアルカンジイル基を形成する場合、前記アルカンジイル基としては、好ましくは、炭素数４〜７のアルカンジイル基であり、より好ましくは、ペンタン−１，５−ジイル基である。
【００３９】
Ｒ１２とＲ１３とが一緒になって炭素数１〜１２のアルカンジイル基を形成する場合、前記アルカンジイル基としては、好ましくは、炭素数４〜７のアルカンジイル基であり、より好ましくは、ペンタン−１，５−ジイル基である。
【００４０】
Ｒ１７とＲ１８とが一緒になって炭素数１〜１２のアルカンジイル基を形成する場合、前記アルカンジイル基としては、好ましくは、炭素数４〜７のアルカンジイル基であり、より好ましくは、ペンタン−１，５−ジイル基である。
【００４１】
Ｒ１９とＲ２０とが一緒になって炭素数１〜１２のアルカンジイル基を形成する場合、前記アルカンジイル基としては、好ましくは、炭素数４〜７のアルカンジイル基であり、より好ましくは、ペンタン−１，５−ジイル基である。
【００４２】
上記アルカンジイル基を含む炭化水素環として、シクロブタン環、シクロペンタン環、シクロヘキサン環、シクロヘプタン環等を挙げることができる。また、前記炭化水素環は置換基を有していてもよく、置換基の具体例としては、メチル基、エチル基、ｎ−プロピル基、イソプロピル基等の炭素数３個以下のアルキル基を挙げることができる。
【００４３】
Ｒ１４とＲ１５とが一緒になって炭素数１〜１２のアルカンジイル基を形成する場合、前記アルカンジイル基としては、好ましくは、炭素数３〜５のアルカンジイル基であり、より好ましくは、プロパン−１，５−ジイル基である。
【００４４】
Ｒ２１とＲ２２とが一緒になって炭素数１〜１２のアルカンジイル基を形成する場合、前記アルカンジイル基としては、好ましくは、炭素数３〜５のアルカンジイル基であり、より好ましくは、プロパン−１，５−ジイル基である。
【００４５】
上記アルカンジイル基を含む炭化水素環として、シクロブテン環、シクロペンテン環、シクロヘキセン環、シクロヘプテン環等を挙げることができる。また、前記炭化水素環は置換基を有していてもよく、置換基の具体例としては、メチル基、エチル基、ｎ−プロピル基、イソプロピル基等の炭素数３個以下のアルキル基を挙げることができる。
【００４６】
Ｌ１は、置換基を有してもよい炭化水素基を表す。
該Ｌ１としては、例えば、
メチレン基、エチレン基、ビニレン基、トリメチレン基、プロピレン基、プロペニレン基、テトラメチレン基、ペンタメチレン基、ヘキサメチレン基などの脂肪族炭化水素基；
シクロペンチレン基、シクロヘキセニレン基、シクロヘキサジエニレン基などの脂環式炭化水素基；
ｏ−フェニレン基、ｍ−フェニレン基、ｐ−フェニレン基、ナフチレン基などの芳香族炭化水素基；等
が挙げられる。
【００４７】
なお、Ｌ１において、本発明の塩を含む着色組成物から得られるカラーフィルタの明度が損なわれない範囲であれば、１又は複数の水素原子が、アミノ基、カルボキシ基、シアノ基、ニトロ基、ハロゲン基、ヒドロキシ基などに置換されていてもよい。
該Ｌ１としては、合成のし易さや有機溶剤への溶解性の点で、炭素数１〜１６のアルカンジイル基が好ましく、炭素数１〜１０のアルカンジイル基がより好ましく、炭素数３〜８のアルカンジイル基が更に好ましい。
【００４８】
ｎ２及びｎ３は、互いに独立に、０又は１を表し、０であることが好ましい。
【００４９】
カチオン（Ａ）は、カチオン（１）又はカチオン（２）を表すが、カチオン（１）が好ましい。
【００５０】
カチオン（Ａ）としては、以下のカチオンが挙げられる。
【００５１】
0005948858.tif 000006
0005948858.tif 000007
【００５２】
0005948858.tif 000008
0005948858.tif 000009
0005948858.tif 000010
【００５３】
0005948858.tif 000011
【００５４】
アニオン（Ｂ）は、目的とするカラーフィルタの色に合わせて選択することができる。
アニオン（Ｂ）は、溶剤に充分に溶解することが好ましい。更に、アニオン（Ｂ）は、パターン形成に使用する現像液に、パターン形成ができる程度に溶解することが好ましい。
【００５５】
アニオン（Ｂ）は、式（３）で表されるアニオン（以下「アニオン（３）」という場合がある）であることが好ましい。
【００５６】
0005948858.tif 000012
（式（３）は、式（４）で表される化合物に含まれるｎ個の水素原子が、−ＳＯ３−で置換されていることを表す。ｎは１以上４以下の整数。）
【００５７】
0005948858.tif 000013
【００５８】
アニオン（３）を含む塩としては、具体的には、Ｃ．Ｉ．Ｄｉｒｅｃｔ Ｂｌｕｅ ８６、Ｃ．Ｉ．Ｄｉｒｅｃｔ Ｂｌｕｅ ８７、Ｃ．Ｉ．Ａｃｉｄ Ｂｌｕｅ ２４９等が挙げられ、Ｃ．Ｉ．Ｄｉｒｅｃｔ Ｂｌｕｅ ８６が好ましい。
【００５９】
アニオン（Ｂ）としては、以下のアニオンが挙げられる。
【００６０】
0005948858.tif 000014
【００６１】
カチオン（Ａ）とアニオン（Ｂ）とからなる塩としては、以下の塩が挙げられる。
【００６２】
0005948858.tif 000015
0005948858.tif 000016
0005948858.tif 000017
0005948858.tif 000018
【００６３】
0005948858.tif 000019
0005948858.tif 000020
0005948858.tif 000021
0005948858.tif 000022
【００６４】
0005948858.tif 000023
0005948858.tif 000024
0005948858.tif 000025
0005948858.tif 000026
【００６５】
0005948858.tif 000027
0005948858.tif 000028
0005948858.tif 000029
0005948858.tif 000030
【００６６】
0005948858.tif 000031
0005948858.tif 000032
【００６７】
0005948858.tif 000033
0005948858.tif 000034
0005948858.tif 000035
0005948858.tif 000036
【００６８】
0005948858.tif 000037
0005948858.tif 000038
0005948858.tif 000039
【００６９】
0005948858.tif 000040
0005948858.tif 000041
0005948858.tif 000042
0005948858.tif 000043
【００７０】
0005948858.tif 000044
0005948858.tif 000045
0005948858.tif 000046
【００７１】
0005948858.tif 000047
0005948858.tif 000048
0005948858.tif 000049
0005948858.tif 000050
【００７２】
0005948858.tif 000051
0005948858.tif 000052
0005948858.tif 000053
【００７３】
0005948858.tif 000054
【００７４】
0005948858.tif 000055
【００７５】
0005948858.tif 000056
【００７６】
0005948858.tif 000057
【００７７】
本発明に係る塩は、カチオン（Ａ）とアニオン（Ｂ）とを、溶媒中で接触させることにより、製造することができる。具体的には、アニオン（Ｂ）を含む塩とカチオン（Ａ）を含む塩とを溶媒中で塩交換反応させればよい。その際には、アニオン（Ｂ）を含む塩とカチオン（Ａ）を含む塩とを、１：１〜１：４のモル比で反応させることが好ましい。
【００７８】
反応混合物から目的化合物である塩を取得する方法は、特に限定されず、公知の種々の手法が採用できる。例えば、反応混合物を無機塩（例えば、食塩等）及び水と共に混合し、析出した結晶を濾取することができる。前記無機塩は、予め無機塩の水溶液を調製してから、反応混合物を前記水溶液に添加することが好ましい。反応混合物を添加するときの温度は、好ましくは１０℃以上５０℃以下、より好ましくは１０℃以上４０℃以下、さらに好ましくは１０℃以上２５℃以下である。また反応混合物を無機塩の水溶液に添加後は、同温度で０．５〜２時間程度攪拌することが好ましい。濾取した結晶は、水などで洗浄し、次いで乾燥することが好ましい。また必要に応じて、再結晶などの公知の手法によってさらに精製してもよい。
【００７９】
かくして得られた本発明の塩は、染料として有用である。特に、本発明の塩は、分光濃度が高いため、反射光又は透過光を利用して色表示する、液晶表示装置などの表示装置のカラーフィルターや繊維材料などに用いられる染料として有用である。
【００８０】
本発明の染料は、カチオン（Ａ）とアニオン（Ｂ）との塩を有効成分とする染料である。
本発明の着色組成物は、着色剤（以下「着色剤（Ｃ）」という場合がある）として本発明の染料を含み、さらに樹脂（Ｄ）を含むことが好ましい。本発明の着色組成物は、さらに重合性化合物（Ｅ）、重合開始剤（Ｆ）及び溶剤（Ｇ）を含むことがより好ましい。
【００８１】
着色剤（Ｃ）は、本発明の染料のほかに、さらに顔料及び／又は本発明の染料とは異なる染料を含んでいてもよい。
本発明の染料とは異なる染料としては、カラーインデックス（Colour Index）（The Society of Dyers and Colourists 出版）で、ソルベント（Solvent）、アシッド（Acid）、ベーシック（Basic）、リアクティブ（reactive）、ダイレクト（Direct）、ディスパース（Disperse）、又はバット（Vat）に分類されている染料等が挙げられる。より具体的には、以下のようなカラーインデックス（Ｃ．Ｉ．）番号の染料が挙げられるが、これらに限定されるわけではない。
Ｃ．Ｉ．ソルベントイエロー２５，７９，８１，８２、８３，８９；
Ｃ．Ｉ．アシッドイエロー７，２３，２５，４２，６５，７６；
Ｃ．Ｉ．リアクティブイエロー２，７６，１１６；
Ｃ．Ｉ．ダイレクトイエロー４，２８，４４，８６，１３２；
Ｃ．Ｉ．ディスパースイエロー５４，７６；
Ｃ．Ｉ．ソルベントオレンジ４１，５４，５６，９９；
Ｃ．Ｉ．アシッドオレンジ５６，７４，９５，１０８，１４９，１６２；
Ｃ．Ｉ．リアクティブオレンジ１６；
Ｃ．Ｉ．ダイレクトオレンジ２６；
Ｃ．Ｉ．ソルベントレッド２４，４９，９０，９１，１１８，１１９，１２２，１２４，１２５，１２７，１３０，１３２，１６０，２１８；
Ｃ．Ｉ．アシッドレッド７３，９１，９２，９７，１３８，１５１，２１１，２７４，２８９；
Ｃ．Ｉ．アシッドバイオレット１０２；
Ｃ．Ｉ．ソルベントグリーン１，５；
Ｃ．Ｉ．アシッドグリーン３，５，９，２５，２８；
Ｃ．Ｉ．ベーシックグリーン１；
Ｃ．Ｉ．バットグリーン１等。
【００８２】
顔料としては、顔料分散レジストに通常用いられる有機顔料又は無機顔料が挙げられる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモン等の金属の酸化物又は複合金属酸化物が挙げられる。また有機顔料及び無機顔料として具体的には、カラーインデックス（Colour Index）（The Society of Dyers and Colourists 出版）で、ピグメント（Pigment）に分類されている化合物が挙げられる。より具体的には、以下のようなカラーインデックス（Ｃ．Ｉ．
）番号の顔料が挙げられるが、これらに限定されるわけではない。
【００８３】
Ｃ．Ｉ．ピグメントイエロー２０、２４、３１、５３、８３、８６、９３、９４、１０９、１１０、１１７、１２５、１３７、１３８、１３９、１４７、１４８、１５０、１５３、１５４、１６６、１７３及び１８０；
Ｃ．Ｉ．ピグメントオレンジ１３、３１、３６、３８、４０、４２、４３、５１、５５、５９、６１、６４、６５及び７１；
Ｃ．Ｉ．ピグメントレッド９、９７、１０５、１２２、１２３、１４４、１４９、１６６、１６８、１７６、１７７、１８０、１９２、２１５、２１６、２２４、２４２、２５４、２５５及び、２６４；
Ｃ．Ｉ．ピグメントバイオレット１４、１９、２３、２９、３２、３３、３６、３７及び３８；
Ｃ．Ｉ．ピグメントグリーン７、１０、１５、２５、３６、４７及び５８等。
【００８４】
着色剤（Ｃ）の含有量は、着色組成物中の固形分に対して、好ましくは５〜６０質量％である。ここで、固形分とは、着色組成物中の、溶剤を除く成分の合計をいう。
着色剤（Ｃ）中に含まれる本発明の染料の含有量は、好ましくは３〜１００質量％である。
本発明の染料とは異なる染料、及び顔料は、それぞれ単独でも２種以上を組み合わせて本発明の染料と共に用いてもよい。
【００８５】
樹脂（Ｄ）としては、特に限定されるものではなく、どのような樹脂を用いてもよい。樹脂（Ｄ）は、アルカリ可溶性樹脂であることが好ましく、（メタ）アクリル酸から導かれる構造単位を含む樹脂であることがより好ましい。ここで、（メタ）アクリル酸は、アクリル酸及び／又はメタクリル酸を表す。
【００８６】
樹脂（Ｄ）としては、具体的には、メタクリル酸／ベンジルメタクリレート共重合体、メタクリル酸／ベンジルメタクリレート／スチレン共重合体、メタクリル酸／ベンジルメタクリレート／イソボルニルメタクリレート共重合体、メタクリル酸／スチレン／ベンジルメタクリレート／Ｎ−フェニルマレイミド共重合体、メタクリル酸／スチレン／グリシジルメタクリレート共重合体等が挙げられる。
【００８７】
樹脂（Ｄ）のポリスチレン換算重量平均分子量は、５，０００〜３５，０００が好ましく、より好ましくは６，０００〜３０，０００である。
樹脂（Ｄ）の酸価は、５０〜１５０ｍｇ−ＫＯＨ／ｇが好ましく、より好ましくは６０〜１３５ｍｇ−ＫＯＨ／ｇである。
樹脂（Ｄ）の含有量は、着色組成物の固形分に対して、好ましくは７〜６５質量％であり、より好ましくは１３〜６０質量％である。
【００８８】
重合性化合物（Ｅ）は、重合開始剤（Ｆ）から発生した活性ラジカル、酸等によって重合しうる化合物であれば、特に限定されるものではない。例えば、重合性のエチレン性不飽和結合を有する化合物等が挙げられる。
【００８９】
前記の重合性化合物（Ｅ）としては、重合性基を３個以上有する重合性化合物であることが好ましい。重合性基を３以上有する重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。前記の重合性化合物は、単独でも２種以上を組み合わせて用いてもよい。
重合性化合物（Ｅ）の含有量は、着色組成物の固形分に対して、５〜６５質量％であることが好ましく、より好ましくは１０〜６０質量％である。
【００９０】
前記の重合開始剤（Ｆ）としては、活性ラジカル発生剤、酸発生剤等が挙げられる。活性ラジカル発生剤は熱又は光の作用によって活性ラジカルを発生する。前記の活性ラジカル発生剤としては、アルキルフェノン化合物、チオキサントン化合物、トリアジン化合物、オキシム化合物等が挙げられる。
前記のアルキルフェノン化合物としては、例えば、２−メチル−２−モルホリノ−１−（４−メチルスルファニルフェニル）プロパン−１−オン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン等が挙げられる。
【００９１】
前記のチオキサントン化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントン等が挙げられる。
【００９２】
前記のトリアジン化合物としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジン等が挙げられる。
【００９３】
前記のオキシム化合物としては、例えば、Ｏ−アシルオキシム系化合物が挙げられ、その具体例としては、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン等が挙げられる。
【００９４】
また、活性ラジカル発生剤としては、例えば、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物等を用いてもよい。
【００９５】
前記の酸発生剤としては、例えば、４−ヒドロキシフェニルジメチルスルホニウムｐ−トルエンスルホナート、４−ヒドロキシフェニルジメチルスルホニウムヘキサフルオロアンチモネート、４−アセトキシフェニルジメチルスルホニウムｐ−トルエンスルホナート、ベンジル（４−アセトキシフェニル）メチルスルホニウムヘキサフルオロアンチモネート、トリフェニルスルホニウムｐ−トルエンスルホナート、トリフェニルスルホニウムヘキサフルオロアンチモネート、ジフェニルヨードニウムｐ−トルエンスルホナート、ジフェニルヨードニウムヘキサフルオロアンチモネート等のオニウム塩類や、ニトロベンジルトシレート類、ベンゾイントシレート類等を挙げることができる。
前記の重合開始剤は、単独でも２種以上を組み合わせて用いてもよい。
【００９６】
重合開始剤（Ｆ）の含有量は、樹脂（Ｄ）及び重合性化合物（Ｅ）の合計量１００質量部に対して、好ましくは０．１〜３０質量部であり、より好ましくは１〜２０質量部である。重合開始剤の含有量が、前記の範囲にあると、高感度化して露光時間が短縮され生産性が向上することから好ましい。
【００９７】
溶剤（Ｇ）としては、例えば、エーテル類、芳香族炭化水素類、ケトン類、アルコール類、エステル類、アミド類等が挙げられる。
【００９８】
前記のエーテル類としては、例えば、テトラヒドロフラン、テトラヒドロピラン、１，４−ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート等が挙げられる。
【００９９】
前記の芳香族炭化水素類としては、例えば、ベンゼン、トルエン、キシレン、メシチレン等が挙げられる。
前記のケトン類としては、例えば、アセトン、２−ブタノン、２−ヘプタノン、３−ヘプタノン、４−ヘプタノン、４−メチル−２−ペンタノン、４−ヒドロキシ−４−メチル−２−ペンタノン、シクロペンタノン、シクロヘキサノン等が挙げられる。
前記のアルコール類としては、例えば、メタノール、エタノール、プロパノール、ブタノール、ヘキサノール、シクロヘキサノール、エチレングリコール、グリセリン等が挙げられる。
【０１００】
前記のエステル類としては、例えば、酢酸エチル、酢酸ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、乳酸ブチル、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、３−メトキシブチルアセテート、３−メチル−３−メトキシブチルアセテート、γ−ブチロラクトン等が挙げられる。
【０１０１】
前記のアミド類としては、例えば、Ｎ，Ｎ−ジメチルホルムアミド、Ｎ，Ｎ−ジメチルアセトアミド、Ｎ−メチルピロリドン等が挙げられる。
これらの溶剤は、単独でも２種類以上を組み合わせて用いてもよい。
【０１０２】
着色組成物における溶剤（Ｇ）の含有量は、着色組成物に対して、好ましくは７０〜９５質量％であり、より好ましくは７５〜９０質量％である。
【０１０３】
本発明の着色組成物は、必要に応じて、界面活性剤、充填剤、他の高分子化合物、密着促進剤、酸化防止剤、紫外線吸収剤、光安定剤、連鎖移動剤等の種々の添加剤を含んでもよい。
【０１０４】
本発明の塩は、染料として有用である。モル吸光係数が高く、かつ有機溶媒への溶解性を示すことから、特に、液晶表示装置等の表示装置のカラーフィルタに用いられる染料として有用である。
また、本発明の塩を含む着色組成物は、カラーフィルタをその構成部品の一部として備える表示装置（例えば、公知の液晶表示装置、有機ＥＬ装置等）、固体撮像素子等の種々の着色画像に関連する機器に、公知の態様で利用することができる。
【実施例】
【０１０５】
次に実施例を挙げて、本発明をさらに具体的に説明する。
実施例及び比較例中、含有量ないし使用量を表す％及び部は、特記ない限り、質量基準である。
【０１０６】
以下の実施例において、化合物は元素分析（VARIO-EL；（エレメンタール(株)製））により同定した。
【０１０７】
〔実施例１〕
Ｃ．Ｉ．ダイレクトブルー８６（東京化成（株）製）７．８ｇをＮ，Ｎ−ジメチルホルミアミド２０ｍｌに溶解させた溶液（ｓ1）を作成した。別途、下記式（ｄ−１）で表される化合物１２．５ｇをＮ，Ｎ−ジメチルホルミアミド２０ｍｌに溶解させた溶液（ｔ1）を作成した。２５℃にて、（ｔ１）に（ｓ１）の溶液を１時間かけて滴下し、その後２時間攪拌した。その後、イオン交換水１００ｍｌを加え、さらに１時間攪拌した。その後、吸引濾過を行い、イオン交換水１００ｍｌで洗浄し、式（Ｉ−１）で表される塩を１０．５ｇ得た。
【０１０８】
0005948858.tif 000058
【０１０９】
0005948858.tif 000059
【０１１０】
式（Ｉ−１）で表される化合物の同定；
（元素分析）Ｃ：７２．３  Ｈ：５．４  Ｎ：９．４  Cu：３．６  S：３．６
【０１１１】
〔実施例２〕
Ｃ．Ｉ．ダイレクトブルー８６（東京化成（株）製）７．８ｇをＮ，Ｎ−ジメチルホルミアミド２０ｍｌに溶解させた溶液（ｓ３）を作成した。別途、下記式（ｄ−１）で表される化合物６．２ｇをＮ，Ｎ−ジメチルホルミアミド２０ｍｌに溶解させた溶液（ｔ２）を作成した。２５℃にて、（ｓ２）に（ｔ２）の溶液を１時間かけて滴下し、その後２時間攪拌した。その後、イオン交換水１００ｍｌを加え、さらに１時間攪拌した。その後、吸引濾過を行い、イオン交換水１００ｍｌで洗浄し、式（Ｉ−２）で表される塩を６．９ｇ得た。
【０１１２】
0005948858.tif 000060
【０１１３】
式（Ｉ−２）で表される化合物の同定；
（元素分析）Ｃ：６５．７  Ｈ：５．１  Ｎ：１０．５  Cu：４．７  S：４．８
【０１１４】
〔実施例３〕
Ｃ．Ｉ．ダイレクトブルー８６（東京化成（株）製）２．５ｇをＮ，Ｎ−ジメチルホルミアミド２０ｍｌに溶解させた溶液（ｓ３）を作成した。別途、下記式（ｄ−２）で表される化合物３．５ｇをＮ，Ｎ−ジメチルホルミアミド３０ｍｌに溶解させた溶液（ｔ３）を作成した。２５℃にて、（ｓ３）に（ｔ３）の溶液を１時間かけて滴下し、その後２時間攪拌した。その後、イオン交換水１５０ｍｌを加え、さらに１時間攪拌した。その後、吸引濾過を行い、イオン交換水１００ｍｌで洗浄し、式（Ｉ−３）で表される塩を３．２ｇ得た。
【０１１５】
0005948858.tif 000061
【０１１６】
0005948858.tif 000062
【０１１７】
式（Ｉ−３）で表される化合物の同定；
（元素分析）Ｃ：７１．３  Ｈ：５．４  Ｎ：９．９  Cu：３．７  S：３．８
【０１１８】
〈吸光度の測定〉
化合物０．３５ｇを乳酸エチルに溶解して体積を２５０cm3とし、そのうちの２ｃｍ３を乳酸エチルで希釈して１００ｃｍ３として、濃度０．０２８ｇ/Ｌの溶液を調整した。該溶液について、紫外可視分光光度計（Ｖ−６５０ＤＳ；日本分光（株）製）（石英セル、光路長；１ｃｍ）を用いて極大吸収波長(λmax)及びモル吸光係数を測定した。結果を表１に示す。
【０１１９】
【表１】
0005948858.tif 000063
【０１２０】
〔実施例４〕
［着色組成物の調製］
（Ｃ）着色剤：化合物（Ｉ−１）：実施例１で合成した化合物            ２０部
（Ｄ）樹脂：メタクリル酸／ベンジルメタクリレート共重合体（モル比；３０／７０；重量平均分子量１０７００、酸価７０ｍｇ−ＫＯＨ／ｇ）                ７０部
（Ｅ）重合性化合物：ジペンタエリスリトールヘキサアクリレート（日本化薬社製）                                                                    ３０部
（Ｆ）光重合開始剤：ベンジルジメチルケタール（イルガキュア（登録商標）６５１；ＢＡＳＦジャパン社製）                                                          １５部
（Ｇ）溶剤：乳酸エチル                                        ６８０部
を混合して着色組成物を得る。
【０１２１】
［カラーフィルタの作製］
ガラス上に、上記で得た着色組成物をスピンコート法で塗布し、揮発成分を揮発させる。冷却後、パターンを有する石英ガラス製フォトマスク及び露光機を用いて光照射する。光照射後に、水酸化カリウム水溶液で現像し、オーブンで２００℃に加熱してカラーフィルタを得る。
【０１２２】
表１の結果から、本発明の塩はモル吸光係数が高く、高い分光濃度を示すことがわかる。また、当該化合物を含む着色組成物は、優れた色性能を有し、高品質なカラーフィルタの作製に利用できる。
【産業上の利用可能性】
【０１２３】
本発明の塩は、着色剤として有用である。本発明の塩は、モル吸光係数が高く、分光濃度が高いことから、特に、液晶表示装置等の表示装置のカラーフィルタに用いられる着色剤として有用である。